(57)【要約】【課題】検出用の局部高周波発振器を追加することなく、局部高周波発振器の周波数のずれを検出し、警報を発報し現用系と予備系とを切り替える。【解決手段】入力を現用系の局部発振器と混合器を用いて高周波に周波数変換するとともに入力を予備系の局部発振器と混合器を用いて高周波に周波数変換し、現用系の高周波と予備系の高周波とを切り替えて出力する送信装置において、現用系の復調モニタに逆周波数変換出力を供給する混合器に予備系の局部発振器出力を接続し、予備系の復調モニタに逆周波数変換出力を供給する混合器に現用系の局部発振器出力を接続し、現用系復調モニタと予備系復調モニタ両方に異常発生時は局部発振器の異常を発報し、現用系のみ異常が発生した場合は現用系の周波数変換または高周波増幅の異常を発報し現用系と予備系とを切り替える。【選択図】図１
2008193532.tif 000002
【特許請求の範囲】
【請求項１】
入力を高周波に変換する現用系と予備系とを有する送信装置において、
前記現用系の逆変換部に前記予備系の局部発振器出力を少なくとも一時的に接続し、前記予備系の逆変換部に前記現用系の局部発振器出力を少なくとも一時的に接続し、
前記現用系の逆変換部の出力と前記予備系の逆変換部の出力に応じて、
前記現用系と前記予備系の不具合箇所を特定すること、または異常を発報すること、または前記現用系の高周波と前記予備系の高周波との出力を選択することとの少なくとも一つを行うことを特徴とする送信装置の制御方法。
【発明の詳細な説明】
【技術分野】
【０００１】
本発明は、映像やデータをデジタル信号化し伝送するディジタル変調復調を行う多重系送信装置に関する。
【背景技術】
【０００２】
映像や音声信号の無線伝送には、数年前はアナログＦＭによる方法で映像や音声を伝送していたが、近年、ＱＡＭ（Ｑｕａｄｒａｔｕｒｅ  Ａｍｐｌｉｔｕｄｅ  Ｍｏｄｕｌａｔｉｏｎ）及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式などによるデジタル伝送方式が用いられるようになっている。
【０００３】
テレビ放送は、スタジオのあるテレビ局から番組を、山の上にある送信所へ送り電波として各家庭へ送られる。このスタジオ（Ｓｔｕｄｉｏ）から送信所（Ｔｒａｎｓｍｉｔｔｅｒ）間を繋ぐ伝送装置をＳＴＬと呼ぶ。スタジオで収録した映像は圧縮されたデジタルデータとなって変調部に入力される。変調部は、シングル６４ＱＡＭ変調を施し１３０ＭＨｚのＩＦ信号を出力する。ＩＦ信号は、局部発振器と混合器にて、１３０ＭＨｚに局部発振周波数を加えた高周波に変換され、高周波増幅器（ＰＡ）によって、電力増幅を行ない出力される。ＰＡは所定の高周波のみを対象とするものとする。
【０００４】
ところで、ＳＴＬが故障した場合、放送波の停止いわゆる放送事故となり、広告主への損害賠償等の大事に至る。そこで、変調部、局部発振器、混合器、ＰＡ、電源等も現用と予備とで、二系統ずつ装備する二重系構成としている。
【０００５】
図２は従来のＳＴＬ装置の構成を示すブロック図である。図２において、１，２はシングル６４ＱＡＭ変調を施し１３０ＭＨｚのＩＦ信号を発生する変調部、３，４は高周波を発生する局部発振器、５，６はＩＦ信号を高周波に変換する混合器、７，８は高周波増幅器（ＰＡ）であり、９は高周波切替器（ＳＷ）、１０は制御部、１１,１２は高周波をＩＦ信号に逆変換する混合器である。１３，１４は復調モニタであり、異常発生時の部位を特定する。制御部１０は、各ブロックからの異常信号を受け取り、高周波切替器９に対して切替のための選択信号を出力する、高周波切替器９は、この選択信号に従い、高周波増幅器７，８何れかの信号をアンテナへ出力する。
【０００６】
ところで、送信側の異常を正確に検知するためには、信号を受信した状態を再現し、その良否を確認する必要があるが、高精度な局部発振器は高価である。そこで、確認用の局部発振器を省略するため、送信用と確認用の局部発振器を兼用している。
【０００７】
複数の局部発振器と周波数変換部を持ち、異常時は他の局部発振器で周波数変換する技術も公開されている。（特許文献１）
【特許文献１】特開２００２―１９８８４４
【発明の開示】
【発明が解決しようとする課題】
【０００８】
以上説明した従来のＳＴＬ装置の構成において、局部発振器周波数が狂っても、異常発生時の部位特定のためのモニタ出力の周波数は、周波数ずれ高周波を、やはり周波数ズレしたローカルで変換するため、異常とならない。
【課題を解決するための手段】
【０００９】
本発明は、上記課題を解決するため、入力を高周波に変換する現用系と予備系とを有する送信装置において、前記現用系の逆変換部に前記予備系の局部発振器出力を少なくとも一時的に接続し、前記予備系の逆変換部に前記現用系の局部発振器出力を少なくとも一時的に接続し、前記現用系の逆変換部の出力と前記予備系の逆変換部の出力に応じて、前記現用系と前記予備系の不具合箇所を特定すること、または異常を発報すること、または前記現用系の高周波と前記予備系の高周波との出力を選択することとの少なくとも一つを行う。
【００１０】
具体的には、局部発振器と周波数変換部と逆周波数変換部と高周波増幅器とを現用系と予備系と２組有し、入力を前記現用系の局部発振器と周波数変換部を用いて高周波に周波数変換するとともに前記入力を前記予備系の局部発振器と周波数変換部を用いて高周波に周波数変換し、前記現用系の高周波と前記予備系の高周波とを切り替えて出力する送信装置において、前記現用系の復調モニタに逆周波数変換出力を供給する混合器に前記予備系の局部発振器出力を接続し、前記予備系の復調モニタに逆周波数変換出力を供給する混合器に前記現用系の局部発振器出力を接続し、前記現用系復調モニタと前記予備系復調モニタ両方に異常発生時は前記局部発振器の異常を発報し、前記現用系復調モニタのみ異常が発生した場合は前記現用系の周波数変換または高周波増幅の異常を発報し前記現用系と前記予備系とを切り替え、前記予備系復調モニタのみ異常が発生した場合は予備系の周波数変換または高周波増幅の異常を発報し現用系を選択する。
【００１１】
または、上記送信装置において、前記復調モニタに異常が発生した場合、前記現用系の復調モニタに逆周波数変換出力を供給する混合器に前記現用系の局部発振器出力を接続し、前記予備系の復調モニタに逆周波数変換出力を供給する混合器に前記予備系の局部発振器出力を接続して前記発生した異常を再評価し不具合箇所を特定し異常を発報する。
【発明の効果】
【００１２】
以上説明したように本発明によれば、現用系局部発振器または予備系局部発振器のいずれかが異常となると、現用系復調モニタと予備系復調モニタの両出力も異常となり、現用系復調モニタと予備系復調モニタの両出力の論理積（ＡＮＤ）を演算することにより、送信側局部発振器に異常のある旨を発報できる。周波数カウンタ等にて、早期に人手による確認を行え、異常な系を特定できる。
【００１３】
現用系の周波数変換または高周波増幅が異常となると、現用系復調モニタが異常となり、予備系の周波数変換または高周波増幅が異常となると、予備系復調モニタが異常となる。そこで、現用系復調モニタと予備系復調モニタの片方にのみ異常が発生した場合は、現用系復調モニタと予備系復調モニタの両出力の排他論理和（ＥＸＯＲ）と各出力の論理積（ＡＮＤ）を演算することにより、現用系または予備系の周波数変換または高周波増幅異常を発報できるので、異常な部分を特定できる。
【００１４】
また、現用系復調モニタと予備系復調モニタに異常が発生した場合は、局部発振器信号のたすきがけを中止し、発生した異常を再評価すれば、上記発生したアラームがそのままなら混合器またはＰＡの異常を発報し、上記発生したアラームが変化したなら局部発振器の異常を発報することも可能である。
【発明を実施するための最良の形態】
【００１５】
図１は本発明の一実施例のＳＴＬ装置の構成を示すブロック図である。図１と従来のＳＴＬ装置の構成を示すブロック図である図２との相違は、現用系復調モニタに予備系局部発振器を接続し予備系復調モニタに現用系局部発振器を接続することと、現用系復調モニタ出力と予備系復調モニタ出力に排他論理和（ＥＸＯＲ）１５と論理積（ＡＮＤ）１６，１７，１８を接続しＡＮＤ１６で送信の局部発振異常警報を出力することと、ＥＸＯＲ１５とＡＮＤ１７，１８とで送信の現用系と予備系との周波数変換または高周波増幅の異常警報を出力することである。
【００１６】
図１において、１，２はシングル６４ＱＡＭ変調を施し１３０ＭＨｚのＩＦ信号を発生する変調部、３，４は高周波を発生する局部発振器、５，６はＩＦ信号を高周波に変換する混合器（変換部）、７，８は高周波増幅器（ＰＡ）であり、９は高周波切替器（ＳＷ）、１０は制御部、１１，１２は高周波をＩＦ信号に逆変換する混合器（逆変換部）である。１３，１４は復調モニタであり、異常発生時の部位を特定する。１５は排他論理和（ＥＸＯＲ）、１６，１７，１８は論理積（ＡＮＤ）である。制御部１０は、各ブロックからの異常信号を受け取り、高周波切替器９に対して切替のための選択信号を出力する、高周波切替器９は、この選択信号に従い、高周波増幅器７，８何れかの信号をアンテナへ出力する。
【００１７】
ところで、送信側の異常を正確に検知するためには、信号を受信した状態を再現し、その良否を確認する必要があるが、高精度な局部発振器は高価である。そこで、確認用の局部発振器を省略するため、送信用と確認用の局部発振器を兼用している。しかし、従来のＳＴＬ装置の構成を示すブロック図である図２と異なり、現用系復調モニタへは予備系局部発振器信号を、予備系復調モニタには現用系局部発振器を接続し、現用系復調モニタのアラーム１と予備系復調モニタのアラーム２とを論理積（ＡＮＤ）１６，１７，１８と排他論理和（ＥＸＯＲ）１５で演算して個別に発報し、異常な部分を特定できる。
【００１８】
具体的には、現用系局部発振器または予備系局部発振器のいずれかが異常となると、現用系復調モニタ、予備系復調モニタの両出力も異常となり、現用系復調モニタ、予備系復調モニタの論理積（ＡＮＤ）を１６で演算することにより、送信側局部発振器に異常のある旨（局部発振異常警報）を発報できる。
【００１９】
また、現用系の周波数変換または高周波増幅が異常となると、現用系復調モニタが異常となり、ＥＸＯＲ１５とＡＮＤ１７，１８とで送信側の現用系の周波数変換または高周波増幅の異常のある旨（送信現用異常警報）を発報し、制御部１０で現用系と予備系とを切り替える。予備系の周波数変換または高周波増幅が異常となると、予備系復調モニタが異常となり、ＥＸＯＲ１５とＡＮＤ１７，１８とで送信側の予備系の周波数変換または高周波増幅の異常のある旨（送信予備異常警報）を発報し、制御部１０で現用系を選択する。現用系が選択されている通常時は予備系との切替は不要であるが、現用系修理終了後に予備系の周波数変換または高周波増幅が異常になった場合は現用系に切り替える。
【００２０】
本発明の一実施例のＳＴＬ装置の構成を示すブロック図である図１では、バグの影響を警報から排除して回路で警報機能を構成できるように、１５から１８の論理をブロック図に図示したが、１５から１８の論理は制御部１０の内部論理に取り込み小型化することも可能である。
【００２１】
図３は本発明の別の一実施例のＳＴＬ装置の構成を示すブロック図である。図３と本発明の一実施例のＳＴＬ装置の構成を示すブロック図である図１との相違は、高周波切替器（ＳＷ）１９で混合器に入力する局部発振器信号を切替え、モニタ出力論理を論理積（ＡＮＤ）１６のみとし、制御部１０において本発明の別の一実施例のＳＴＬ装置の異常処理を示すフローチャートである図４の制御を実施することである。
【００２２】
つまり、本発明の別の一実施例のＳＴＬ装置の異常処理を示すフローチャートである図４のように、現用系復調モニタのアラーム１または予備系復調モニタのアラーム２が発生したならば、本発明の別の一実施例のＳＴＬ装置の構成を示すブロック図である図３のＳＷ１９で復調モニタ用の混合器１１，１２に入力する局部発振器出力の現用系と予備系とのたすきがけを中止し、現用系の復調モニタ用の混合器１１に現用系の局部発振器出力を接続し、予備系の復調モニタ用の混合器１２に予備系の前記局部発振器出力を接続して発生したアラームを再評価し、再評価アラームが発生したままなら再評価系の混合器またはＰＡが異常であると警報を発報し、上記再評価アラームが停止したならば、再評価系の局部発振器が異常であると警報を発報し、異常箇所を特定できる。
【００２３】
本発明の別の一実施例のＳＴＬ装置の構成を示すブロック図である図３も、回路で警報機能を構成できる論理積（ＡＮＤ）１６を残したが、制御部１０の内部論理に取り込み小型化することも可能である。
【図面の簡単な説明】
【００２４】
【図１】本発明の一実施例のＳＴＬ装置の構成を示すブロック図
【図２】従来技術のＳＴＬ装置の構成を示すブロック図
【図３】本発明の別の一実施例のＳＴＬ装置の構成を示すブロック図
【図４】本発明の別の一実施例のＳＴＬ装置の異常処理を示すフローチャート
【符号の説明】
【００２５】
１，２：変調部、３，４：局部発振器、
５，６：ＩＦ信号を高周波に周波数変換する混合器（変換部）、
７，８：高周波増幅器（ＰＡ）、９，１９：高周波切替器（ＳＷ）、
１０：制御部（ＣＯＮＴ）、
１１,１２：高周波をＩＦ信号に逆周波数変換する混合器（逆変換部）、
１３，１４：復調モニタ、
１５：排他論理和（ＥＸＯＲ）、１６，１７，１８：論理積（ＡＮＤ）、
【図１】
2008193532.tif 000003
【図２】
2008193532.tif 000004
【図３】
2008193532.tif 000005
【図４】
2008193532.tif 000006